【手続補正書】
【提出日】平成24年1月19日(2012.1.19)
【手続補正１】
【補正対象書類名】明細書
【補正対象項目名】００３２
【補正方法】変更
【補正の内容】
【００３２】
なお本実施形態では視差量の修正を上述のようにして行ったが、本発明はこれに限られるものではなく、ズーム率取得部４により取得されたデジタルズーム率が１００％よりも大きいときに、デジタルズームされる前の左画像と右画像との間の視差量Ａ０を、ズーム率が大きい程大きな割引率で割り引いた割引デジタルズーム率で拡大した拡大視差量Ｂに基づき、デジタルズームされた左画像と右画像との間の視差量Ａが拡大視差量Ｂとなるようにデジタルズームされた左画像を修正してもよい。具体的には、デジタルズームされる前の左画像と右画像との間の視差量Ａ０が１００ピクセルであった場合には、デジタルズーム率が４００％のときには割引デジタルズーム率を３８８％、デジタルズーム率が１０００％のときには割引デジタルズーム率を９９６％とすると、拡大視差量Ｂはデジタルズーム率が４００％のときには３８８ピクセル、デジタルズーム率が１０００％のときには９６６ピクセルとなる。なお割引デジタルズーム率の値は適宜変更することができる。
【手続補正２】
【補正対象書類名】明細書
【補正対象項目名】００３６
【補正方法】変更
【補正の内容】
【００３６】
制御部１１は、ＣＰＵ１１Ａ、各種処理を行う際の作業領域となるＲＡＭ１１Ｂ、並びに装置１の動作プログラム、各種定数および各種テーブル等を記憶したＲＯＭ１１Ｃを備えてなり、装置１の各部の動作を制御する。以上のようにして本実施形態の３次元表示装置１は構成されている。
【手続補正３】
【補正対象書類名】明細書
【補正対象項目名】００５４
【補正方法】変更
【補正の内容】
【００５４】
そして次に図９Ａに示す如く、ＣＰＵ１１Ａが画像入力部２により読み出された左画像と右画像が各々低解像度画像と高解像度画像とを有しているか否かを判別して、有していない場合（ステップＳ１１；ＮＯ）には、図９Ｂに示す如く、表示部７に３次元画像を表示するか否かを判別し、３次元表示を表示しない場合、つまり２次元表示を表示する場合（ステップＳ２３；ＮＯ）には、左画像の低解像度画像又は高解像度画像を表示部７の表示面に合わせて２次元表示する（ステップＳ３０）。
【手続補正４】
【補正対象書類名】明細書
【補正対象項目名】００７４
【補正方法】変更
【補正の内容】
【００７４】
なお本実施形態では図１１ＡのステップＳ１５にて視差修正部５−２による視差量の修正を行ったが、視差量の修正は行わずに時間設定部１３により高解像度画像に置き換えられるまでに要する時間Ｔ，Ｔ’のみを上記のように設定してもよい。
【手続補正５】
【補正対象書類名】特許請求の範囲
【補正対象項目名】全文
【補正方法】変更
【補正の内容】
【特許請求の範囲】
【請求項１】
視差を有する複数の２次元画像に基づいて３次元表示を行う表示手段と、
前記複数の２次元画像を各々デジタルズームするデジタルズーム手段と、
該デジタルズーム手段による前記２次元画像のデジタルズーム率を取得するズーム率取得手段と、
該ズーム率取得手段により取得された前記デジタルズーム率が１００％よりも大きいときに、前記デジタルズームされる前の前記複数の２次元画像間の視差量を、前記デジタルズーム率を該ズーム率が大きい程大きな割引率で割り引いた割引デジタルズーム率で拡大した拡大視差量に基づき、前記デジタルズームされた前記複数の２次元画像間の視差量が前記拡大視差量となるように前記デジタルズームされた複数の２次元画像の少なくとも１つを修正する視差修正手段と、
該修正された複数の２次元画像に基づいて前記表示手段に３次元表示を行わせる表示制御手段とを備えてなることを特徴とする３次元表示装置。
【請求項２】
前記複数の２次元画像が、各々低解像度画像とデータ圧縮された高解像度画像を有するものであり、
前記デジタルズーム手段が、前記低解像度画像に対して前記デジタルズームを行うものであり、
前記視差修正手段が、前記デジタルズームされた前記低解像度画像に対して前記修正を行うものであって、
前記データ圧縮された高解像度画像を伸張処理する伸張手段をさらに備え、
前記表示制御手段が、前記修正した複数の低解像度画像に基づく３次元表示を行った後に、該３次元表示に置き換えて、前記伸張手段により伸張処理された複数の前記高解像度画像に基づき、前記修正された複数の低解像度画像に基づく３次元表示範囲に合わせた３次元表示を行わせるものであることを特徴とする請求項１に記載の３次元表示装置。
【請求項３】
前記表示手段が、前記複数の２次元画像に基づく３次元表示と前記２次元画像の２次元表示が可能なものであり、
前記表示制御手段が、前記２次元画像を２次元表示する際、前記デジタルズームされた低解像度画像の２次元表示を行わせた後に、該２次元表示に置き換えて、前記伸張手段により伸張処理された前記高解像度画像を前記デジタルズームされた低解像度画像の２次元表示範囲に合わせて２次元表示させるものであって、
前記表示制御手段が前記修正した複数の低解像度画像に基づく３次元表示を開始してから前記伸張処理された複数の高解像度画像に基づく３次元表示を開始するまでの時間よりも、前記デジタルズームされた低解像度画像の２次元表示を開始してから前記伸張処理された高解像度画像の２次元表示を開始するまでの時間を短く設定する時間設定手段をさらに備えていることを特徴とする請求項２に記載の３次元表示装置。
【請求項４】
視差を有する複数の２次元画像に基づいて３次元表示を行う表示手段と、
前記複数の２次元画像を各々デジタルズームするデジタルズーム手段とを備えてなる３次元表示装置におけるデジタルズーム補正方法において、
前記デジタルズーム手段による前記２次元画像のデジタルズーム率を取得し、
該取得した前記デジタルズーム率が１００％よりも大きいときに、前記デジタルズームされる前の前記複数の２次元画像間の視差量を、前記デジタルズーム率を該ズーム率が大きい程大きな割引率で割り引いた割引デジタルズーム率で拡大した拡大視差量に基づき、前記デジタルズームされた前記複数の２次元画像間の視差量が前記拡大視差量となるように前記デジタルズームされた複数の２次元画像の少なくとも１つを修正し、
該修正した複数の２次元画像に基づいて前記表示手段に３次元表示をさせることを特徴とするデジタルズーム補正方法。
【請求項５】
前記複数の２次元画像が、各々低解像度画像とデータ圧縮された高解像度画像を有するものであり、
前記デジタルズーム手段が、前記低解像度画像に対して前記デジタルズームを行うものであって、
前記視差量の前記修正を前記低解像度画像に対して行い、
前記データ圧縮された高解像度画像を伸張処理し、
前記視差量を修正した複数の低解像度画像に基づく３次元表示を行った後に、該３次元表示に置き換えて、前記伸張処理された複数の前記高解像度画像に基づき、前記修正された複数の低解像度画像に基づく３次元表示範囲に合わせた３次元表示を行うことを特徴とする請求項４に記載のデジタルズーム補正方法。
【請求項６】
前記表示手段が、前記複数の２次元画像に基づく３次元表示と前記２次元画像の２次元表示が可能なものであり、
前記２次元画像を２次元表示する際、前記デジタルズームされた低解像度画像の２次元表示を行わせた後に、該２次元表示に置き換えて、前記伸張処理された前記高解像度画像を前記デジタルズームされた低解像度画像の２次元表示範囲に合わせて２次元表示させるものであって、
前記修正した複数の低解像度画像に基づく３次元表示を開始してから前記伸張処理された複数の高解像度画像に基づく３次元表示を開始するまでの時間よりも、前記デジタルズームされた低解像度画像の２次元表示を開始してから前記伸張処理された高解像度画像の２次元表示を開始するまでの時間を短く設定することを特徴とする請求項５に記載のデジタルズーム補正方法。